(57)【要約】      （修正有）【課題】分岐される光ファイバ心線の損傷を防止することができる光ファイバ心線分岐部材を提供する。【解決手段】光ファイバ心線分岐部材１は、第１部分体２と、この第１部分体２と一体的に形成された第２部分体３とを備えている。第１部分体２及び第２部分体３は、ヒンジ部４を介して開閉可能となっている。第１部分体２の内面には、光ケーブルを収容するケーブル収容溝７と、光ケーブルの内部から取り出された光ファイバ心線を収容する心線収容溝８とが形成されている。第２部分体３の内面には、光ケーブルを収容すると共に、ケーブル収容溝７と協働して光ケーブルを挿通させる断面円形状のケーブル挿通孔１５を形成するケーブル収容溝１４と、光ケーブルの内部から取り出された光ファイバ心線を収容する心線収容溝１６とが形成されている。【選択図】図１
2012073347.tif 000002
【特許請求の範囲】
【請求項１】
光ケーブルを収容する第１ケーブル収容溝を有する第１部分体と、
前記第１部分体に対して開閉可能となるように一体的に形成され、前記第１ケーブル収容溝と協働して前記光ケーブルを挿通させるケーブル挿通孔を形成する第２ケーブル収容溝を有する第２部分体とを備え、
前記第１部分体及び前記第２部分体のうち少なくとも前記第１部分体には、前記光ケーブルの内部から取り出された光ファイバ心線を収容する心線収容溝が設けられていることを特徴とする光ファイバ心線分岐部材。
【請求項２】
前記第１ケーブル収容溝の少なくとも一部の深さは、前記第２ケーブル収容溝の深さよりも大きいことを特徴とする請求項１記載の光ファイバ心線分岐部材。
【請求項３】
前記第１部分体及び前記第２部分体のいずれか一方には、前記第１部分体と前記第２部分体とを係止するための突起部が設けられ、
前記第１部分体及び前記第２部分体の他方には、前記突起部と嵌合する穴部が設けられていることを特徴とする請求項１または２記載の光ファイバ心線分岐部材。
【発明の詳細な説明】
【技術分野】
【０００１】
本発明は、光ケーブルの内部から取り出された光ファイバ心線を分岐させるための光ファイバ心線分岐部材に関するものである。
【背景技術】
【０００２】
光ケーブルの内部から光ファイバ心線を取り出して分岐させる技術としては、光ケーブルのシースを輪切りに切り裂いて、光ファイバ心線を取り出す口出し方法がある（例えば、特許文献１参照）。
【先行技術文献】
【特許文献】
【０００３】
【特許文献１】特開２００９−２３７５３７号公報
【発明の概要】
【発明が解決しようとする課題】
【０００４】
上記従来技術のように光ケーブルの内部から取り出された光ファイバ心線を分岐させる際には、専用の光ファイバ心線分岐部材を使用することがある。この場合、従来一般の光ファイバ心線分岐部材を光ケーブルに取り付けると、分岐される光ファイバ心線が光ファイバ心線分岐部材によって覆われるため、作業中に光ファイバ心線の分岐状態の目視確認を行うことができない。このため、光ファイバ心線が光ファイバ心線分岐部材に挟み込まれたり、光ファイバ心線の所望の許容曲げ半径が確保されない状態となり、光ファイバ心線が損傷してしまうことがある。
【０００５】
本発明の目的は、分岐される光ファイバ心線の損傷を防止することができる光ファイバ心線分岐部材を提供することである。
【課題を解決するための手段】
【０００６】
本発明の光ファイバ心線分岐部材は、光ケーブルを収容する第１ケーブル収容溝を有する第１部分体と、第１部分体に対して開閉可能となるように一体的に形成され、第１ケーブル収容溝と協働して光ケーブルを挿通させるケーブル挿通孔を形成する第２ケーブル収容溝を有する第２部分体とを備え、第１部分体及び第２部分体のうち少なくとも第１部分体には、光ケーブルの内部から取り出された光ファイバ心線を収容する心線収容溝が設けられていることを特徴とするものである。
【０００７】
以上のような本発明の光ファイバ心線分岐部材を用いて、光ケーブルの内部から取り出された光ファイバ心線を分岐させるときは、第１部分体と第２部分体とを開いた状態で、第１部分体の心線収容溝に光ファイバ心線を収容すると共に、第１部分体の第１ケーブル収容溝に光ケーブルを収容する。そして、その状態で、第１部分体と第２部分体とを閉じることで、光ケーブルがケーブル挿通孔を挿通し、光ファイバ心線が分岐される。このように第１部分体と第２部分体とを開いた状態で、光ファイバ心線を心線収容溝に収容するので、光ファイバ心線の挟み込みが無いかどうか、光ファイバ心線の許容曲げ半径が確保されているかどうかを目視確認することができる。従って、光ファイバ心線の挟み込みを無くすことや、光ファイバ心線の許容曲げ半径を確保することが可能となる。これにより、光ファイバ心線分岐部材を光ケーブルの心線分岐箇所に取り付ける際に、光ケーブルの内部から取り出された光ファイバ心線の損傷を防止することができる。
【０００８】
好ましくは、第１ケーブル収容溝の少なくとも一部の深さは、第２ケーブル収容溝の深さよりも大きい。この場合には、光ケーブルを第１ケーブル収容溝に収容すると、光ケーブルが第１部分体に保持されるようになる。このため、第１ケーブル収容溝に収容された光ケーブルを作業者が手で押さえてなくて済むため、作業性が良くなる。
【０００９】
また、好ましくは、第１部分体及び第２部分体のいずれか一方には、第１部分体と第２部分体とを係止するための突起部が設けられ、第１部分体及び第２部分体の他方には、突起部と嵌合する穴部が設けられている。この場合には、第１部分体と第２部分体とを閉じたときに、突起部が穴部に入り込むことで、第１部分体と第２部分体とが係止状態となり、光ケーブルが光ファイバ心線分岐部材に仮固定されるようになる。このため、光ケーブルを光ファイバ心線分岐部材に本固定するまでの間、光ファイバ心線分岐部材が光ケーブルに対してずれないように作業者が第１部分体及び第２部分体を手で押さえてなくて済むため、作業性が良くなる。
【発明の効果】
【００１０】
本発明によれば、分岐される光ファイバ心線の損傷を防止することができる。これにより、当該光ファイバ心線を光ファイバ心線分岐部材により十分保護することが可能となる。
【図面の簡単な説明】
【００１１】
【図１】本発明に係わる光ファイバ心線分岐部材の一実施形態の外観を示す斜視図である。
【図２】光ケーブルの内部から光ファイバ心線を取り出す工程を示す斜視図である。
【図３】光ケーブルの内部から光ファイバ心線を取り出す工程を示す斜視図である。
【図４】図１に示した第１部分体の心線挿通孔にチューブを差し込む様子を示す斜視図である。
【図５】図１に示した第１部分体の心線収容溝に光ファイバ心線を収容した状態を示す斜視図である。
【図６】図１に示した第１部分体のケーブル収容溝に光ケーブルを収容した状態を示す斜視図である。
【図７】図１に示した第１部分体及び第２部分体を閉じて、両者を結束バンドで固定した状態を示す斜視図である。
【図８】図１に示した光ファイバ心線分岐部材におけるチューブの取り付け箇所を結束バンドで固定した状態を示す斜視図である。
【発明を実施するための形態】
【００１２】
以下、本発明に係わる光ファイバ心線分岐部材の好適な実施形態について、図面を参照して詳細に説明する。
【００１３】
図１は、本発明に係わる光ファイバ心線分岐部材の一実施形態の外観を示す斜視図である。同図において、本実施形態の光ファイバ心線分岐部材１は、光ケーブルの内部から取り出された光ファイバ心線を分岐させるための部材である。なお、光ファイバ心線としては、単心光ファイバ心線でも良いし、多心光ファイバテープ心線でも良い。
【００１４】
光ファイバ心線分岐部材１は、柔らかく弾性変形しやすいゴム素材やエラストマー素材で形成されている。光ファイバ心線分岐部材１は、第１部分体２と、この第１部分体２と一体的に形成された第２部分体３とを備えている。これらの第１部分体２及び第２部分体３は、ヒンジ部４を介して開閉可能となっている。
【００１５】
第１部分体２は、ケーブル保持部５と、このケーブル保持部５の先端側に設けられた心線保持部６とを有している。
【００１６】
ケーブル保持部５の内面には、光ケーブル２５（図６参照）を収容するケーブル収容溝７が形成されている。心線保持部６の内面には、光ケーブル２５の内部から取り出された光ファイバ心線２７（図６参照）を収容する心線収容溝８が形成されている。心線収容溝８は、ケーブル収容溝７と連通していると共に、ケーブル収容溝７の延在方向に対して斜めに延びている。
【００１７】
また、心線保持部６の内面には、半円柱状の突起部９が心線収容溝８に隣接するように設けられている。突起部９には、心線収容溝８と連通する心線挿通孔１０が形成されている。
【００１８】
第２部分体３は、ケーブル保持部１１と、このケーブル保持部１１の先端側に設けられた心線保持部１２とを有している。ケーブル保持部１１は、第１部分体２及び第２部分体３が閉じられたときに、上記のケーブル保持部５と協働して筒状部１３を形成する。
【００１９】
ケーブル保持部１１の内面には、光ケーブル２５（図６参照）を収容するケーブル収容溝１４が形成されている。ケーブル収容溝１４は、第１部分体２及び第２部分体３が閉じられたときに、上記のケーブル収容溝７と協働して、光ケーブル２５を挿通させる断面円形状のケーブル挿通孔１５を形成する。ケーブル収容溝７の深さは、全体的にケーブル収容溝１４の深さよりも大きくなっている。なお、ケーブル収容溝７の深さは、部分的にケーブル収容溝１４の深さよりも大きくなっていても良い。
【００２０】
心線保持部１２の内面には、光ケーブル２５の内部から取り出された光ファイバ心線２７（図６参照）を収容する心線収容溝１６が形成されている。心線収容溝１６は、ケーブル収容溝１４と連通していると共に、ケーブル収容溝１４の延在方向に対して斜めに延びている。心線収容溝１６は、第１部分体２及び第２部分体３が閉じられたときに、上記の心線収容溝８と協働して、光ファイバ心線２７を挿通させる心線挿通孔１７を形成している。
【００２１】
また、心線保持部１２の内面には、上記の突起部９と嵌合する断面半円状の溝部１８が心線収容溝１６と隣接するように形成されている。
【００２２】
心線保持部１２の先端部の内面には、複数（ここでは３つ）の仮止め用突起部１９と複数（ここでは２つ）の位置決め用突起部２０とが交互に並設されている。仮止め用突起部１９は略直方体状をなし、位置決め用突起部２０は円柱状をなしている。仮止め用突起部１９の先端部には、引っ掛け爪１９ａが設けられている。
【００２３】
心線保持部６の先端部には、第１部分体２及び第２部分体３が閉じられたときに、各仮止め用突起部１９と嵌合する複数（ここでは３つ）の貫通穴２１と、第１部分体２及び第２部分体３が閉じられたときに、各位置決め用突起部２０と嵌合する複数（ここでは２つ）の貫通穴２２とが形成されている。
【００２４】
また、心線保持部６には、結束バンド３１（図８参照）を通すための１対のバンド孔２３が突起部９を挟むように形成されている。心線保持部１２には、結束バンド３１を通すための１対のバンド孔２４が溝部１８を挟むように形成されている。
【００２５】
次に、光ケーブル２５の内部から光ファイバ心線２７を取り出し、上述した光ファイバ心線分岐部材１を使用して当該光ファイバ心線２７を分岐させる工程について説明する。なお、光ファイバ心線分岐部材１の第１部分体２及び第２部分体３は、予め開いた状態としておく。
【００２６】
まず図２（ａ）に示すように、光ケーブル２５において光ファイバ心線分岐部材１を取り付ける位置（分岐位置）を決める。そして、図２（ｂ），（ｃ）に示すように、光ケーブル２５のシース２６に設けられた切断線２６ａに沿って、分岐位置を含むようにシース２６を切断し、切断したシース２６を剥ぎ取る。なお、シース２６の切断長さとしては、分岐位置から成端器（図示せず）までの距離＋成端器内部の必要長さ＋余裕分とする。そして、光ケーブル２５におけるシース２６を剥がした範囲の押さえ巻き（図示せず）を除去する。
【００２７】
次いで、図３（ａ），（ｂ）に示すように、分岐させる光ファイバ心線２７を切断し、取り出す。そして、図３（ｃ），（ｄ）に示すように、剥がしたシース２６の先端部分を約１０ｍｍ切断し、当該シース２６を元の位置に戻した後、シース２６にテープ２８を巻いて固定する。
【００２８】
次いで、図４に示すように、光ファイバ心線分岐部材１に接続される分岐心線配線用のチューブ２９を用意し、分岐位置から成端器までの長さにチューブ２９を切断する。そして、チューブ２９を光ファイバ心線分岐部材１の心線挿通孔１０に差し込む。なお、チューブ２９の差し込み長は、２０ｍｍ程度である。
【００２９】
次いで、図５に示すように、光ケーブル２５の内部から取り出した光ファイバ心線２７を第１部分体２の心線収容溝８に収容する。そして、その状態で、図６に示すように、光ケーブル２５を第１部分体２のケーブル収容溝７に収容すると共に、光ファイバ心線２７を心線挿通孔１０に挿入してチューブ２９に通す。このように分岐心線配線用のチューブ２９を用いることにより、分岐させる光ファイバ心線２７を成端器まで保護することができる。
【００３０】
このとき、第１部分体２のケーブル収容溝７の深さが第２部分体３のケーブル収容溝１４の深さよりも大きくなっているので、光ケーブル２５をケーブル収容溝７に収容すると、作業者が光ケーブル２５を手から離しても、光ファイバ心線分岐部材１の弾性力によって光ケーブル２５が光ファイバ心線分岐部材１に確実に保持された状態となる。このため、作業者が光ケーブル２５をいちいち手で押さえてなくて済むため、作業者の負担が軽減され、作業性が良好になる。
【００３１】
次いで、光ファイバ心線分岐部材１を光ケーブル２５の心線引き出し位置（分岐位置）に合わせた状態で、図７に示すように、第１部分体２と第２部分体３とを閉じる。このとき、光ファイバ心線２７に対して光ケーブル２５の長手方向及び回転方向に負荷がかからないように、光ケーブル２５に対する光ファイバ心線分岐部材１の位置を調整する。
【００３２】
また、第１部分体２と第２部分体３とが閉じられると、第２部分体３の仮止め用突起部１９及び位置決め用突起部２０が第１部分体２の貫通穴２１，２２にそれぞれ挿入され、仮止め用突起部１９の引っ掛け爪１９ａが第１部分体２に引っ掛かり、第１部分体２と第２部分体３とが係止された状態となるため、光ケーブル２５が光ファイバ心線分岐部材１に仮固定される。このため、光ケーブル２５が光ファイバ心線分岐部材１に本固定されるまでの間に、光ファイバ心線分岐部材１が光ケーブル２５に対してずれ動かないように作業者が第１部分体２及び第２部分体３を手で押さえてなくて済む。従って、この点でも作業者の負担が軽減され、作業性が更に良好になる。
【００３３】
そして、図７に示すように、２本の結束バンド３０により筒状部１３の両端部分を固定する。これにより、光ケーブル２５が光ファイバ心線分岐部材１に十分に固定されるようになる。
【００３４】
次いで、図８に示すように、第１部分体２及び第２部分体３の先端部の内面同士を密着させた状態で、結束バンド３１を第１部分体２のバンド孔２３及び第２部分体３のバンド孔２４に通して締め付けることで、光ファイバ心線分岐部材１におけるチューブ２９の取り付け部分を結束バンド３１により固定する。
【００３５】
以上のように本実施形態にあっては、光ファイバ心線分岐部材１の第１部分体２及び第２部分体３を開いた状態で、第１部分体２のケーブル収容溝７に光ケーブル２５を収容すると共に、第１部分体２の心線収容溝８に光ファイバ心線２７を収容し、その後で第１部分体２と第２部分体３とを閉じるようにするので、作業中に作業者が光ファイバ心線２７の状態を目視確認することができる。従って、第１部分体２と第２部分体３とを閉じる前に、光ファイバ心線２７が光ファイバ心線分岐部材１に挟み込まれたり、光ファイバ心線２７の許容曲げ半径が確保されない状態となることが防止される。
【００３６】
また、第２部分体３に仮止め用突起部１９を設け、第１部分体２に仮止め用突起部１９と嵌合する貫通穴２１を設けることで、光ケーブル２５に光ファイバ心線分岐部材１を仮止め可能にしたので、光ファイバ心線分岐部材１が光ケーブル２５に対してずれ動くことが防止される。このため、第１部分体２と第２部分体３とを閉じた後に、光ファイバ心線分岐部材１がずれ動くことが原因で、光ファイバ心線２７が光ファイバ心線分岐部材１に挟み込まれたり、光ファイバ心線２７の許容曲げ半径が確保されなくなることも防止される。
【００３７】
以上により、分岐される光ファイバ心線２７の損傷や破損を防止することができる。その結果、光ファイバ心線２７の品質を確保しつつ、光ファイバ心線２７を分岐させることが可能となる。
【００３８】
なお、本発明は、上記実施形態に限定されるものではない。例えば上記実施形態では、第１部分体２のケーブル収容溝７を第２部分体３のケーブル収容溝１４よりも深くしたが、ケーブル収容溝７の深さとケーブル収容溝１４の深さとが同等であっても良い。
【００３９】
また、上記実施形態では、第１部分体２に心線収容溝８を形成すると共に、第２部分体３に心線収容溝１６を形成したが、心線収容溝８の深さが大きい場合には、第２部分体３には必ずしも心線収容溝１６を形成しなくても良い。
【符号の説明】
【００４０】
１…光ファイバ心線分岐部材、２…第１部分体、３…第２部分体、７…ケーブル収容溝（第１ケーブル収容溝）、８…心線収容溝、１４…ケーブル収容溝（第２ケーブル収容溝）、１５…ケーブル挿通孔、１６…心線収容溝、１９…仮止め用突起部、２１…貫通穴（穴部）、２５…光ケーブル、２７…光ファイバ心線。
【図１】
2012073347.tif 000003
【図２】
2012073347.tif 000004
【図３】
2012073347.tif 000005
【図４】
2012073347.tif 000006
【図５】
2012073347.tif 000007
【図６】
2012073347.tif 000008
【図７】
2012073347.tif 000009
【図８】
2012073347.tif 000010